(57)【要約】【課題】盗難防止効果を発揮しつつ、上蓋の開閉作業を容易に行うことができるように構成された断熱容器を提供する。【解決手段】断熱容器としての牛乳箱１１は、有底四角筒状の外容器１２と、その外容器１２内に収容される有底四角筒状の内容器１３と、外容器１２の上部開口部を開閉可能に閉鎖する上蓋１４とを備えている。外容器１２の後端部には上蓋１４を回動可能に軸着するための回動手段が設けられ、外容器１２と内容器１３との間には断熱部材が設けられている。外容器１２の前端部と上蓋１４との間には、外容器１２の上部開口部を上蓋１４により閉鎖した状態でロックするためのロック機構（ガイド突条２３の切欠き部及び係合突起４７の係合爪４７ａ）が設けられている。この牛乳箱１１は、前記ロック機構によるロック状態を解除するためのロック解除部材１７が別体で設けられている。【選択図】　　　図１
2004010092.tif 000002
【特許請求の範囲】
【請求項１】
有底筒状に形成された外容器と、その外容器内に収容される有底筒状の内容器と、前記外容器の上部開口部を開閉可能に閉鎖する上蓋とを備え、
前記外容器の後端部には上蓋を回動可能に軸着するための回動手段を設けるとともに、前記外容器と内容器との間に断熱部が設けられた断熱容器であって、
前記外容器の前端部と上蓋との間に外容器の上部開口部を上蓋により閉鎖した状態でロックするためのロック機構を設け、
さらに前記ロック機構によるロック状態を解除するためのロック解除部材を別体で設けたことを特徴とする断熱容器。
【請求項２】
前記ロック機構にロック解除部材を挿入するための挿入孔を設けるとともに、
その挿入孔内にロック解除部材を挿入したとき、ロック機構によるロック状態が解除されるように構成したことを特徴とする請求項１に記載の断熱容器。
【請求項３】
前記挿入孔内にロック解除部材を挿入していない状態で、前記ロック機構によるロックを行うように構成したことを特徴とする請求項２に記載の断熱容器。
【請求項４】
前記挿入孔内にロック解除部材の先端部が所定方向に挿入されるようにガイドするためのガイド部を設けたことを特徴とする請求項２又は請求項３に記載の断熱容器。
【発明の詳細な説明】
【０００１】
【発明の属する技術分野】
この発明は、保温又は保冷機能を有し、例えば牛乳ビン、ジュース缶、ヨーグルト容器やアイスクリーム容器を一時的に収容して保存するために使用される断熱容器に関するものである。より詳しくは、著しく操作性が良好なロック機構を備えた断熱容器に関するものである。
【０００２】
【従来の技術】
従来より、この種の断熱容器としては、例えば、合成樹脂により有底四角筒状に形成された外容器と、その外容器内に挿脱可能に収容される合成樹脂製の内容器と、前記外容器の上部開口部を開閉可能に閉鎖する有蓋四角筒状の上蓋とを備えた保冷受箱が知られている。この保冷受箱の外容器の後面上端部と上蓋の後端部との間には、外容器に対し上蓋を回動可能に軸着するための回動部が設けられている。さらに、この保冷受箱の外容器の前面上端部と上蓋の前端部との間には、係合凸部と係合突起とが対向するように突設されており、上蓋により外容器の上部開口部を閉鎖したときには両者が係合され、上蓋が容易に回動しないようにロックされるようになっている。
【０００３】
そして、この保冷受箱は、各家庭の玄関に備え付けて使用され、牛乳等の飲料水入りビンやピュアパック等の宅配物を一時的に収容するための宅配用受箱として用いられる。特に、この保冷受箱では、前記係合凸部と係合突起との係合関係のみにより外容器と上蓋とがロックされるように構成されていたことから、配達人による宅配物の挿入を迅速かつ容易に行うことができる。
【０００４】
【発明が解決しようとする課題】
ところが、前記従来の保冷受箱では、誰でもごく簡単に上蓋の開閉ができるようになっていたことから、配達された宅配物が盗まれるおそれもあった。
【０００５】
この発明は、上記のような従来技術に存在する問題点に着目してなされたものである。その目的とするところは、盗難防止効果を発揮しつつ、上蓋の開閉作業を容易に行うことができるように構成された断熱容器を提供することにある。
【０００６】
【課題を解決するための手段】
上記の目的を達成するために、請求項１に記載の発明の断熱容器は、有底筒状に形成された外容器と、その外容器内に収容される有底筒状の内容器と、前記外容器の上部開口部を開閉可能に閉鎖する上蓋とを備え、前記外容器の後端部には上蓋を回動可能に軸着するための回動手段を設けるとともに、前記外容器と内容器との間に断熱部が設けられた断熱容器であって、前記外容器の前端部と上蓋との間に外容器の上部開口部を上蓋により閉鎖した状態でロックするためのロック機構を設け、さらに前記ロック機構によるロック状態を解除するためのロック解除部材を別体で設けたことを特徴とするものである。
【０００７】
請求項２に記載の発明の断熱容器は、請求項１に記載の発明において、前記ロック機構にロック解除部材を挿入するための挿入孔を設けるとともに、その挿入孔内にロック解除部材を挿入したとき、ロック機構によるロック状態が解除されるように構成したことを特徴とするものである。
【０００８】
請求項３に記載の発明の断熱容器は、請求項２に記載の発明において、前記挿入孔内にロック解除部材を挿入していない状態で、前記ロック機構によるロックを行うように構成したことを特徴とするものである。
【０００９】
請求項４に記載の発明の断熱容器は、請求項２又は請求項３に記載の発明において、前記挿入孔内にロック解除部材の先端部が所定方向に挿入されるようにガイドするためのガイド部を設けたことを特徴とするものである。
【００１０】
【発明の実施の形態】
（第１実施形態）
以下、この発明を具体化した第１実施形態を詳細に説明する。
【００１１】
図１から図４に示すように、断熱容器としての牛乳箱１１は、有底長四角筒状に形成された外容器１２と、その外容器１２内に挿脱可能に収容される有底長四角筒状の内容器１３と、前記外容器１２の上部開口部を開閉可能に閉鎖する上蓋１４とを備えている。さらに、外容器１２と内容器１３との間には、発泡ポリスチレン（ＥＰＳ）により有底長四角筒状に形成された断熱部を構成する下部断熱部材１５が挿脱可能に収容されている。加えて、上蓋１４の下面には、発泡ポリスチレンにより長四角板状に形成された断熱部を構成する上部断熱部材１６が固設されている。
【００１２】
この牛乳箱１１は、上蓋１４により外容器１２及び内容器１３の上部開口部を閉鎖したとき、前記上蓋１４は外容器１２及び内容器１３に対してロック（施錠）された状態となるように構成されている。さらに、前記ロック状態を解除する際には、図１（ｂ）に示される合成樹脂により略長四角板状に形成されたロック解除部材１７が用いられる。このロック解除部材１７は、その一端部（基端部）に四角板状の把持部１７ａが設けられ、他端部（先端部）には四角板状のロック解除部１７ｂが設けられている。
【００１３】
外容器１２は、ポリプロピレンにより有底長四角筒状に形成されるとともに、長四角板状に形成された底壁２０ａと、その底壁２０ａの周縁に立設された各一対の長側壁２０ｂ及び短側壁２０ｃとを備えている。
【００１４】
図５及び図６に示すように、外容器１２の前面に位置する一方の長側壁２０ｂの上端部中央には、外容器１２の外側方（前方）に延びる平断面略コ字状に形成されたロックハウジング２１が設けられている。このロックハウジング２１の内部は、挿入孔を構成する第１挿入孔２２が上下方向に延びるように設けられており、前記ロック解除部材１７のロック解除部１７ｂが挿入されるようになっている。
【００１５】
この第１挿入孔２２の中央部には、ガイド部としての対向する前後一対のガイド突条２３が上下方向に延びるように設けられている。一方のガイド突条２３は外容器１２の長側壁２０ｂ外側面から上下方向に延びる略長四角板状に突設され、他方のガイド突条２３は前記長側壁２０ｂと対向するロックハウジング２１の壁面内側面から上下方向に延びる略長四角板状に突設されている。
【００１６】
図５（ｂ）及び図６（ｂ）に示すように、両ガイド突条２３は、前後に対称な形状に形成されているうえ、その下部には側面四角孔状に切り欠かれた係合段部としての切欠き部２３ａが設けられている。さらに、両ガイド突条２３の上部には、下方ほど僅かに突出するように傾斜したテーパ形状に形成された傾斜面２３ｂが設けられており、対向する前後一対のガイド突条２３間に設けられたガイド部としてのスライド係入溝２３ｃの間隔が徐々に狭まるようになっている。
【００１７】
また、同第１挿入孔２２の一端部には、上下方向に延びるガイド部としてのガイド板２４が設けられている。このガイド板２４は、外容器１２の長側壁２０ｂ外側面と、同長側壁２０ｂと対向するロックハウジング２１の壁面内側面との間を前後方向に繋ぐ四角板状に形成されている。さらに、このガイド板２４の左右両側面は、いずれも下方ほど僅かに狭まるように傾斜したテーパ形状に形成されたテーパ面２４ａとなっている。
【００１８】
図２（ｂ）から図４に示すように、外容器１２の後面に位置する他方の長側壁２０ｂの上端部外側面には、側断面逆Ｌ字状に形成された逆Ｌ字板２６が外容器１２の外側方に延びるように突設されている。この逆Ｌ字板２６の両端部には、後面横Ｅ字状、側面逆三角形状に形成された左右一対の軸受け部２７が外容器１２の外側方に延びるように突設されている。この軸受け部２７の基端部中央上方位置には、側面逆Ｌ字状に形成された回動手段を構成する回動軸受け２８が設けられている。この回動軸受け２８の先端部下面は、側面円弧状に凹設されている。
【００１９】
内容器１３は、ポリプロピレンにより略有底長四角筒状（正断面及び側断面略ひ字状）に形成されるとともに、長四角板状に形成された底壁３０ａと、その底壁３０ａの周縁に立設された各一対の長側壁３０ｂ及び短側壁３０ｃとを備えている。
【００２０】
図２（ａ）及び（ｂ）に示すように、この内容器１３の上端部には、内容器１３の外側方（水平方向）に延びるように形成された周縁フランジ３１が各側壁３０ｂ，３０ｃの上端縁全体に渡って連続して延びるように突設されている。この周縁フランジ３１は、内容器１３を外容器１２内に収容したとき、外容器１２の上端部と当接されるとともに、外容器１２の各側壁２０ｂ，２０ｃの上端縁全体を覆うように形成されている。
【００２１】
さらに、この周縁フランジ３１の前端部には、前記ロックハウジング２１の上端部全体を覆うように略四角板状（平面台形状）に形成された台形部３２が設けられている。図５及び図６に示すように、この台形部３２の中央部には、前記第１挿入孔２２内にロック解除部材１７の先端部を挿入するための挿入孔を構成する第２挿入孔３３が平面長四角孔状に貫設されている。
【００２２】
図２及び図３に示すように、この周縁フランジ３１の内端部には、周縁フランジ３１の上面よりも僅かに上方に突出するように形成されるとともに、各側壁３０ｂ，３０ｃの上端縁全体に渡って連続して延びるように形成された周縁突部３６が設けられている。また、前記周縁フランジ３１の外周縁（先端縁）には、上下方向に延びる垂下部３７が内容器１３の上端部全体に渡って連続して延びるように垂下されている。この垂下部３７は、図２に示されるように内容器１３を外容器１２内に収容したとき、外容器１２の上端縁外周面を取り囲むように形成されているうえ、内容器１３の前端部中央においては前記ロックハウジング２１の上端部外側面を覆うように形成されている。
【００２３】
図１から図４に示すように、上蓋１４は、ポリプロピレンにより略有蓋長四角筒状に形成されるとともに、長四角板状に形成された上壁４０ａと、その上壁４０ａの周縁から垂下された各一対の長側壁４０ｂ及び短側壁４０ｃとを備えている。
【００２４】
この上蓋１４の周縁部には、上蓋１４の外側方（水平方向）に延びるように形成された蓋体フランジ４１が各側壁４０ｂ，４０ｃの下端縁全体に渡って連続して延びるように突設されている。図２に示すように、この蓋体フランジ４１は、上蓋１４により外容器１２及び内容器１３の上部開口部を閉鎖したとき、内容器１３の周縁フランジ３１上面と当接されるとともに、その周縁フランジ３１の外周縁（先端縁）全体を覆うように形成されている。
【００２５】
この蓋体フランジ４１の外周縁（先端縁）には、上下方向に延びる上部垂下部４２が上蓋１４の外周縁全体に渡って連続して延びるように垂下されている。この上部垂下部４２は、図２に示されるように上蓋１４により外容器１２及び内容器１３の上部開口部を閉鎖したとき、内容器１３の垂下部３７の外側方に位置し、その垂下部３７全体を取り囲むように形成されている。図２（ｂ）及び図３（ｂ）に示すように、上蓋１４の前端部中央には、前記上部垂下部４２の下端部外側面から外側方に延びるように突出した把持板４３が突設されており、上蓋１４を容易に把持することができるようになっている。
【００２６】
図１及び図６に示すように、上蓋１４の前端部に位置する蓋体フランジ４１の基端部中央には、前記ロック解除部材１７の先端部を挿入するための挿入孔を構成する第３挿入孔４６が長孔状に貫設されている。この第３挿入孔４６は、ロック解除部材１７のロック解除部１７ｂの平断面形状とほぼ同径同形状に形成されている。図３及び図６に示すように、この第３挿入孔４６は、上蓋１４により外容器１２及び内容器１３の上部開口部を閉鎖したとき、内容器１３の第２挿入孔３３の中央部上方に位置するように設けられている。
【００２７】
さらに、この第３挿入孔４６の一端部に位置する蓋体フランジ４１の下面には、正面逆Ｌ字状に形成されたロック機構を構成する係合突起４７が垂下されている。図６（ｂ）に示すように、この係合突起４７は、側面から見たとき第３挿入孔４６と第２挿入孔３３との中間の幅となるように形成されているうえ、第３挿入孔４６の一端部に接するように垂下されている。さらに、図６（ａ）に示すように、この係合突起４７の先端部にはロック機構を構成する係合爪４７ａが突設されており、上蓋１４により外容器１２及び内容器１３の上部開口部を閉鎖したとき、一対のガイド突条２３の切欠き部２３ａに引掛かって係合するように構成されている。
【００２８】
図２（ｂ）から図４に示すように、上蓋１４の後端部には、略Ｕ字状に形成された回動手段を構成する左右一対の回動軸部４９が上部垂下部４２の外側面から外側方に突設されている。この回動軸部４９の下端部には、横方向（水平方向）に延びる円柱状に形成された回動軸４９ａが架設されている。これら回動軸４９ａは、外容器１２の回動軸受け２８の先端部下面に嵌合されるように構成されており、上蓋１４を外容器１２に対し回動可能となるように軸着している。また、この上蓋１４の上壁４０ａ下面には、上部断熱部材１６が固着されている。この上部断熱部材１６の周縁部下面は、図２に示されるように、上蓋１４により外容器１２及び内容器１３の上部開口部を閉鎖したとき、内容器１３の周縁フランジ３１の上面と密着するように形成されている。
【００２９】
上記牛乳箱１１の作用について以下に記載する。
この牛乳箱１１を製造する際には、まず、外容器１２、内容器１３及び上蓋１４をそれぞれ別々に射出成形するとともに、下部断熱部材１５及び上部断熱部材１６をそれぞれ別々に成形する。次に、成形後の外容器１２の内部に下部断熱部材１５を挿入した後、その下部断熱部材１５の内部に内容器１３を挿入するとともに、上蓋１４の下面に上部断熱部材１６を固着させた後、その上蓋１４の回動軸４９ａを外容器１２の回動軸受け２８の先端部に嵌合させる。
【００３０】
このとき、内容器１３は、周縁フランジ３１の下面が外容器１２の上端部（ロックハウジング２１の上端部及び側壁２０ｂ，２０ｃの上端縁）と当接されているうえ、垂下部３７の内側面が外容器１２の上端部外側面と当接可能な状態で係合されており、外容器１２内に安定状態で収容されている。さらに、上蓋１４は、回動軸４９ａを軸に外容器１２の上部開口部に対し回動可能となるように軸着されている。
【００３１】
この牛乳箱１１において、上蓋１４により外容器１２及び内容器１３の上部開口部が閉鎖されたときには、図６（ａ）及び（ｂ）に示されるように、上蓋１４の前端部中央に設けられた係合突起４７が内容器１３の第２挿入孔３３及び外容器１２の第１挿入孔２２内に収容されている。さらに、この係合突起４７先端部の係合爪４７ａは、ロックハウジング２１内に設けられた対向する前後一対のガイド突条２３の両切欠き部２３ａと係合され、上蓋１４が回動されないようにロックしている。
【００３２】
さて、この牛乳箱１１は、主として屋外に設置して使用される。また、牛乳ビン５１の配達人及び牛乳ビン５１の購入者（配達依頼人）は、ともに同じロック解除部材１７を保有している。
【００３３】
この牛乳箱１１内に牛乳ビン５１を収容する際には、まず、ロック解除部材１７の先端部を上蓋１４の第３挿入孔４６から奥部まで挿入する。このとき、このロック解除部材１７先端部のロック解除部１７ｂは、ロックハウジング２１内において、対向する前後一対のガイド突条２３の両傾斜面２３ｂに沿ってガイドされながら下方へと進行し、前後一対の切欠き部２３ａと係合状態にある係合爪４７ａの上面中央部に当接する。続いて、このロック解除部１７ｂは、ロックハウジング２１内のガイド板２４により係合爪４７ａから離間する方向への移動が規制されていることから、そのまま係合爪４７ａの上面を押圧しながら係合突起４７の基端部から中央部を弾性変形させる。その結果、このロック解除部１７ｂの第１挿入孔２２奥部への挿入により、図６（ｃ）に示されるように、前記係合爪４７ａと切欠き部２３ａとの係合状態が解除され、上蓋１４と外容器１２との間のロック状態が解除される。
【００３４】
そして、このロック解除部１７ｂを第１挿入孔２２の奥部に挿入したままで、上蓋１４の把持板４３を上方に引き上げることによって、上蓋１４が回動軸４９ａを軸に上方に回動され、外容器１２及び内容器１３の上部開口部が開口される。なおこのとき、前記ロック解除部１７ｂは、係合突起４７の係合爪４７ａと当接した状態で上蓋１４の第３挿入孔４６内に挿通されている。続いて、内容器１３の収容空間内に図２（ａ）に２点鎖線で示される牛乳ビン５１及び必要に応じて蓄冷剤５２を挿入して収容させる。
【００３５】
次に、上蓋１４により外容器１２及び内容器１３の上部開口部を閉鎖する際には、まず、前記ロック解除部１７ｂを第３挿入孔４６内から引き抜いた後、上蓋１４を下方に回動させて蓋体フランジ４１全体を内容器１３の周縁フランジ３１上に載置する。このとき、前記係合突起４７は、第２挿入孔３３及び第１挿入孔２２内に挿入されるとともに、係合爪４７ａが対向する前後一対のガイド突条２３の両切欠き部２３ａに半自動的に係合され、上蓋１４と外容器１２とがロック状態となる。なお、この牛乳箱１１では、前記ロック状態において内容器１３の内部の断熱性能が著しく高められている。
【００３６】
一方、この牛乳箱１１は、上蓋１４の蓋体フランジ４１及び上部垂下部４２が外容器１２及び内容器１３の上端縁の上方全体及び外側方全体を覆っており、上蓋１４の上面に降った雨水が蓋体フランジ４１及び上部垂下部４２の外面を通って牛乳箱１１の下へとそのまま落下する。さらに、内容器１３の周縁フランジ３１及び垂下部３７が外容器１２の上端縁の上方全体及び外側方全体を覆っており、仮に強い横風に煽られた雨が降った場合でも外容器１２及び内容器１３内に浸入することはない。加えて、前記周縁フランジ３１の内端部に突設された周縁突部３６は、前記強い横風に煽られた雨が内容器１３内に浸入するのを極めて効果的に防止するための防壁として機能する。また、この牛乳箱１１は、内容器１３が外容器１２内に係脱可能に収容されているうえ、下部断熱部材１５が外容器１２内に挿脱可能に収容されていることから、それら内容器１３及び下部断熱部材１５を外容器１２内から取り出して洗浄又は乾拭きすることができる。
【００３７】
上記実施形態によって発揮される効果について、以下に記載する。
・　第１実施形態の牛乳箱１１は、有底四角筒状に形成された外容器１２と、その外容器１２内に収容される有底四角筒状の内容器１３と、外容器１２の上部開口部を開閉可能に閉鎖する上蓋１４とを備えている。さらに、外容器１２の後端部には、上蓋１４を回動可能に軸着するための回動軸受け２８及び回動軸部４９（回動軸４９ａ）が設けられているうえ、外容器１２と内容器１３との間には下部断熱部材１５及び上部断熱部材１６が設けられている。加えて、外容器１２の前端部と上蓋１４の前端部との間には、外容器１２の上部開口部を上蓋１４により閉鎖した状態でロックするためのロック機構（ガイド突条２３の切欠き部２３ａ及び係合突起４７の係合爪４７ａ）が設けられている。そのうえ、この牛乳箱１１は、前記ロック機構によるロック状態を解除するためのロック解除部材１７が、外容器１２、内容器１３及び上蓋１４とは別体で設けられている。
【００３８】
このため、この牛乳箱１１は、前記ロック機構により外容器１２と上蓋１４との間を閉鎖状態でロックできることから、盗難防止効果を発揮することができる。さらに、ロック解除部材１７により、前記ロック状態を著しく容易に解除できることから、上蓋１４の開閉作業を片手でも容易に行うことができ、牛乳ビン５１の配達人及び牛乳ビン５１の購入者の作業量をほとんど増やすことがない。特に、この牛乳箱１１では、ロック解除部材１７が別体で設けられており、ロック解除部材１７を保有していない人にとっては、上蓋１４の開閉を容易に行うことができないことから盗難防止効果が発揮される。
【００３９】
・　この牛乳箱１１のロック機構にはロック解除部材１７の先端部を挿入するための挿入孔（第１挿入孔２２、第２挿入孔３３及び第３挿入孔４６）が設けられており、その挿入孔内にロック解除部材１７の先端部を挿入したとき、ロック機構によるロック状態が解除されるようになっている。このため、この牛乳箱１１のロック機構では、例えば南京錠のように挿入後の鍵を所定方向に回転させる等の煩雑な作業が不要であることから、片手でも簡単にロック状態の解除を行うことができる。
【００４０】
・　この牛乳箱１１は、挿入孔（第１挿入孔２２、第２挿入孔３３及び第３挿入孔４６）内にロック解除部材１７を挿入していない状態で、ロック機構（切欠き部２３ａ及び係合爪４７ａ）によるロックを行うことができるように構成されている。即ち、この牛乳箱１１のロック機構では、ロック状態を解除する最初のステップのみでロック解除部材１７が必要とされ、牛乳ビン５１の挿脱時及びその後にはロック解除部材１７を上蓋１４の第３挿入孔４６内に挿入しておく必要がない。このため、特に牛乳ビン５１の配達人にとっては、牛乳ビン５１の挿脱作業後にロック解除部材１７の回収し忘れを容易に防止することができる。
【００４１】
・　この牛乳箱１１は、前記挿入孔内にロック解除部材１７の先端部が所定方向に挿入されるようにガイドするためのガイド部としてのガイド突条２３（傾斜面２３ｂ）及びガイド板２４（テーパ面２４ａ）が設けられている。このため、この牛乳箱１１では、ロック解除部材１７先端部の挿入作業を容易に行うことができる。さらに、前記ガイド部は、ロック解除部材１７の先端部を所定方向に押圧しながらロック状態を解除させるようにガイドすることから、ロック状態の解除を容易かつ迅速に行うことができる。
【００４２】
（第２実施形態）
この発明の第２実施形態を第１実施形態と異なる点を中心に説明する。
図７に示すように、第２実施形態の断熱容器しての牛乳箱１１は、上記第１実施形態の牛乳箱１１におけるロック機構及びロック解除部材１７が異なる以外はほぼ同様の構成を有している。この第２実施形態のロック解除部材６１は、合成樹脂により略長四角板状に形成されている。このロック解除部材６１の一端部（基端部）には、四角板状の把持部６１ａが設けられている。同ロック解除部材６１の他端部（先端部）は、四角板状に形成された板状部６１ｂと、その板状部６１ｂの前後両側面中央に沿って上下方向に延びる前後一対の係合突条６１ｃとから平断面十字状に形成されている。
【００４３】
図７及び図８に示すように、上蓋１４の前端部中央に位置する蓋体フランジ４１には、平面十字状に形成された挿入孔を構成する第３挿入孔６２が貫設されており、前記ロック解除部材６１の先端部を挿入するようになっている。この第３挿入孔６２よりも僅かに前方に位置する蓋体フランジ４１の下面には、ロック機構を構成する略四角板状（側断面略Ｌ字状）に形成された係合突起６３が垂下されている。この係合突起６３の先端部には上蓋１４の後方へと延びるロック機構を構成する係合爪６３ａが突設されている。
【００４４】
一方、台形部３２の中央部には、上蓋１４により外容器１２及び内容器１３の上部開口部を閉鎖したとき、前記第３挿入孔６２と上下に一致した位置に、平面十字状に形成された挿入孔を構成する第２挿入孔６４が貫設されている。さらに、この第２挿入孔６４の前端部には、上蓋１４により外容器１２及び内容器１３の上部開口部を閉鎖したとき、前記係合突起６３と上下に一致する位置に、長孔状に形成された第４挿入孔６５が貫設されている。これら第２挿入孔６４と第４挿入孔６５とは互いに連通するように一体的に構成されており、台形部３２の中央部には全体として平面土字状の挿入孔が貫設されている。
【００４５】
さらに、ロックハウジング２１の内部には、平断面略横Ｃ字状に形成されたロック機構を構成する係合突部６６が設けられている。この係合突部６６は、ロックハウジング２１内に位置する外容器１２の長側壁２０ｂ上端部外側面から突設されている。さらに、この係合突部６６の中央部に位置する平面十字状に形成された十字凹部６７は、外容器１２内に内容器１３を収容したとき、前記第２挿入孔６４と上下に一致した位置に形成されている。即ち、この係合突部６６の十字凹部６７は、前記第２挿入孔６４とともにロック解除部材６１の先端部（板状部６１ｂ及び係合突条６１ｃ）を所定方向に挿入させる挿入孔を構成している。
【００４６】
さらに、この十字凹部６７の基端部側に位置する側面は、下方ほど僅かに突出するテーパ形状に形成されたガイド部を構成する第２テーパ面６７ａとなっている。また、この係合突部６６の先端部中央には、ロック解除部材６１先端部の一方の係合突条６１ｃを挿通させるためのスライド係入溝６８が上下方向に延びるように設けられている。
【００４７】
そして、この係合突部６６の先端部下端面は、図８（ａ）に示されるように上蓋１４により外容器１２及び内容器１３の上部開口部を閉鎖したとき、前記係合突起６３の係合爪６３ａが係合されるようになっている。さらに、図８（ｂ）に示されるように、ロック解除部材６１の先端部を十字凹部６７内に挿入したときには、そのロック解除部材６１の先端部は第２テーパ面６７ａに沿って僅かに前方に押圧されながら下方へと挿入される。その結果、スライド係入溝６８内に挟み込まれている係合突条６１ｃの外側面が係合爪６３ａの上端面中央を下方に押圧して係合突起６３を前方へと弾性変形させ、前記係合突部６６の先端部下端面と係合爪６３ａとの係合状態が解除される。
【００４８】
従って、この第２実施形態の牛乳箱１１では、上記第１実施形態と同様の効果が発揮される。さらに、係合爪６３ａが第１実施形態の係合爪４７ａよりも広い面積で係合するように構成されていることから、ロック状態を高い強度で維持することが容易である。
【００４９】
なお、上記実施形態は、次のように変更して具体化することも可能である。
・　図９（ａ）及び（ｂ）に示すように、第３挿入孔４６よりも前方に位置する上蓋１４の蓋体フランジ４１の下面に四角板状の舌片部材７１を垂下させること。さらに、第２挿入孔３３よりも前方に位置する台形部３２に長孔７２を貫設し、前記舌片部材７１が挿入されるように構成すること。このように構成した場合、舌片部材７１が係合突起４７の前方を覆っていることから、係合突起４７に牛乳ビン５１等がぶつかって破壊されるのを効果的に保護することが可能となる。
【００５０】
・　下部断熱部材１５を省略してもよい。このように構成した場合、牛乳箱１１の構成を容易に簡略化することができるとともに、外容器１２の内面と内容器１３の外面との間に存在する空気層によって断熱作用を発揮することができる。
【００５１】
・　上部断熱部材１６を省略するとともに、上蓋１４の下端部（長側壁４０ｂ及び短側壁４０ｃの下端部）に底壁を設けること。このように構成した場合、前記底壁と、上壁４０ａ、長側壁４０ｂ及び短側壁４０ｃとによって取り囲まれる空間内に存在する空気層によって断熱作用を発揮することができる。
【００５２】
・　下部断熱部材１５及び上部断熱部材１６を、発泡スチレン、発泡ポリプロピレン、発泡ポリエチレン、ウレタン（発泡ウレタン）又はスポンジによって構成してもよい。
【００５３】
・　牛乳箱１１を、耐候性の高いポリエチレンによって構成してもよい。
・　キャンプ等のアウトドアで利用されるクーラーボックスに、上記実施形態と同様のロック機構及びロック解除部材１７，６１を設けてもよい。
【００５４】
さらに、前記実施形態より把握できる技術的思想について以下に記載する。
（１）　前記ロック機構を係合段部と係合爪との係合関係によって構成するとともに、前記係合段部の中央部にロック解除部材の先端部がスライドしながら係入されるように構成したスライド係入溝を設けたことを特徴とする請求項１から請求項４のいずれかに記載の断熱容器。
【００５５】
（２）　前記ガイド部を、ロック解除部材の先端部がスライド係入溝内に押圧されるようにガイドするように構成したことを特徴とする前記（１）に記載の断熱容器。
【００５６】
（３）　前記内容器の上端部全体には外容器の上端縁の上方を覆う周縁フランジを突設するとともに、その周縁フランジの外周縁全体には外容器の上端縁の外側方を覆う垂下部を垂下させ、さらに前記回動手段を前記垂下部よりも外側方に位置するように配設したことを特徴とする請求項１から請求項４のいずれかに記載の断熱容器。このように構成した場合、外部からの水の浸入を効果的に防止して内部を衛生的に保つことができる。
【００５７】
（４）　前記周縁フランジの上面に周縁突部を設けたことを特徴とする前記（３）に記載の断熱容器。
（５）　前記上蓋の外周縁全体に前記垂下部の外側面を取り囲むように構成された上部垂下部を設けたことを特徴とする前記（３）又は前記（４）に記載の断熱容器。
【００５８】
【発明の効果】
以上詳述したように、この発明によれば、次のような効果を奏する。
請求項１から請求項４に記載の発明の断熱容器によれば、盗難防止効果を発揮しつつ、上蓋の開閉作業を容易に行うことができる。
【図面の簡単な説明】
【図１】（ａ）は第１実施形態の牛乳箱を示す斜視図、（ｂ）は同じく牛乳箱の一部を拡大した斜視図。
【図２】（ａ）は第１実施形態の一部を破断した牛乳箱を示す正面図、（ｂ）は図２（ａ）の２ｂ−２ｂ線から見た牛乳箱を示す部分拡大側断面図。
【図３】（ａ）は第１実施形態の牛乳箱（右半分は上蓋を組付けた状態、左半分は上蓋を組付けていない状態）を示す平面図、（ｂ）は同じく底面図。
【図４】（ａ）は第１実施形態の一部を破断した牛乳箱を示す側面図、（ｂ）は同じく背面図。
【図５】（ａ）は第１実施形態の牛乳箱の一部を示す平面図、（ｂ）は同じく牛乳箱の一部を示す底面図。
【図６】（ａ）は図３（ｂ）の６ａ−６ａ線から見たロック状態のロック機構を示す断面図、（ｂ）は図６（ａ）の６ｂ−６ｂ線から見た側断面図、（ｃ）はロック解除部材により図６（ａ）のロック状態を解除する様子を示す断面図
【図７】（ａ）は第２実施形態の牛乳箱を示す斜視図、（ｂ）は同じく牛乳箱の一部を拡大した斜視図。
【図８】（ａ）は図７（ｂ）の８ａ線から見たロック状態のロック機構を示す断面図、（ｂ）はロック解除部材により図８（ａ）のロック状態を解除する様子を示す断面図。
【図９】（ａ）は実施形態以外の牛乳箱を示す斜視図、（ｂ）は同じく牛乳箱の一部を拡大した斜視図。
【符号の説明】
１１…断熱容器としての牛乳箱、１２…外容器、１３…内容器、１４…上蓋、１５…断熱部を構成する下部断熱部材、１６…断熱部を構成する上部断熱部材、１７…ロック解除部材、２２…挿入孔を構成する第１挿入孔、２３…ガイド部を構成するガイド突条、２３ａ…ロック機構を構成する切欠き部、２３ｂ…ガイド部を構成する傾斜面、２３ｃ…ガイド部を構成するスライド係入溝、２４…ガイド部を構成するガイド板、２４ａ…ガイド部を構成するテーパ面、２８…回動手段を構成する回動軸受け、３３…挿通孔を構成する第２挿入孔、４６…挿入孔を構成する第３挿入孔、４７…ロック機構を構成する係合突起、４７ａ…ロック機構を構成する係合爪、４９…回動手段を構成する回動軸部、４９ａ…回動手段を構成する回動軸、６１…ロック解除部材、６２…挿入孔を構成する第３挿入孔、６３…ロック機構を構成する係合突起、６３ａ…ロック機構を構成する係合爪、６４…挿入孔を構成する第２挿入孔、６６…ロック機構を構成する係合突部、６７…挿入孔を構成する十字凹部、６７ａ…ガイド部を構成する第２テーパ面、６８…ガイド部を構成するスライド係入溝。
【図１】
2004010092.tif 000003
【図２】
2004010092.tif 000004
【図３】
2004010092.tif 000005
【図４】
2004010092.tif 000006
【図５】
2004010092.tif 000007
【図６】
2004010092.tif 000008
【図７】
2004010092.tif 000009
【図８】
2004010092.tif 000010
【図９】
2004010092.tif 000011